(57)【要約】【課題】  砥ぎ面が多くて耐用期間の長い、猫の爪砥ぎ器を提供する。【解決手段】  ライナー４と波形状の中芯５が露出したハニカム状表面部３を外面側と内面側に露出させた平板状の段ボールブロック２を６個分解可能に組み合わせて六面体とする。ハニカム状表面部３を猫が爪を砥ぐための砥ぎ面Ｓとして使用して、合計１２の砥ぎ面Ｓを提供することによって耐用期間の長い爪砥ぎ器を提供する。また、内部に鈴等６を入れ、猫が爪を砥ぐ際の振動によって鳴らし、猫のストレスを解消させる。【選択図】      図２
0003117382.tif 000002
【実用新案登録請求の範囲】
【請求項１】
段ボールによって形成した猫の爪砥ぎ器であって、ライナー（４）と波形状の中芯（５）が露出したハニカム状表面部（３）を外面側と内面側に露出させた正方形平板状の段ボールブロック（２）を６個分解可能に組み合わせて六面体とし、前記ハニカム状表面部を猫が爪を砥ぐための砥ぎ面（Ｓ）としてなる猫の爪砥ぎ器。
【請求項２】
段ボールによって形成した猫の爪砥ぎ器であって、ライナー（４）と波形状の中芯（５）が露出したハニカム状表面部（３）を外面側と内面側に露出させた正方形平板状の段ボールブロック（２）を６個分解可能に組み合わせて六面体とし、前記ハニカム状表面部を猫が爪を砥ぐための砥ぎ面（Ｓ）とし、内部に鈴等（６）を入れてなる猫の爪砥ぎ器。
【考案の詳細な説明】
【技術分野】
【０００１】
本考案は、猫が爪を砥ぐために使用する爪砥ぎ器に関するものである。
【背景技術】
【０００２】
ペットとして室内で飼っている猫は、ソファーのカバーや柱等の室内に存在するあらゆる物で爪を砥ぐ習性があり、よって、これらの物は猫の爪によって大きく傷つけられてしまう。
【０００３】
こうした点に鑑み、従来、図１及び図４に示すような猫の爪砥ぎ器１０が創案されている。この爪砥ぎ器１０は、肉厚が５ｃｍ程度の厚い平板状の段ボールを使用して形成されており、その上面側と下面側の両方に、ライナー４と波形状の中芯５のハニカム状表面部３を露出させ、当該表面部３を砥ぎ面Ｓとしている。そして、猫が上面側の砥ぎ面Ｓで爪を砥ぐことによって、当該砥ぎ面Ｓが損傷して爪が砥ぎ難くなると、飼い主が裏返して下面側の断面部１１を上側にして新たな砥ぎ面Ｓとしている。
【考案の開示】
【考案が解決しようとする課題】
【０００４】
しかし、この従来の爪砥ぎ器１０は、砥ぎ面Ｓが上面側と下面側の二面のみであるため耐用期間が短いといった問題がある。また実用性一辺倒であり面白味がない。
【０００５】
本考案はこうした問題に鑑み創案されたもので、耐用期間の長い、猫の爪砥ぎ器を提供することを課題とする。また従来のものよりも目新しいものを提供することを課題としている。
【課題を解決するための手段】
【０００６】
図２乃至図４を参照して説明する。請求項１に記載の考案は、段ボールによって形成した猫の爪砥ぎ器であって、ライナー４と波形状の中芯５が露出したハニカム状表面部３を外面側と内面側に露出させた正方形平板状の段ボールブロック２を６個分解可能に組み合わせて六面体とし、前記ハニカム状表面部３を猫が爪を砥ぐための砥ぎ面Ｓとしてなるものである。
【０００７】
請求項２に記載の考案は、段ボールによって形成した猫の爪砥ぎ器であって、ライナー４と波形状の中芯５が露出したハニカム状表面部３を外面側と内面側に露出させた平板状の段ボールブロック２を６個分解可能に組み合わせて六面体とし、前記ハニカム状表面部３を猫が爪を砥ぐための砥ぎ面Ｓとし、内部に鈴等６を入れてなるものである。
【考案の効果】
【０００８】
請求項１に記載の猫の爪砥ぎ器１は、外面側と内面側に砥ぎ面Ｓを有する段ボールブロック２を６個分解可能に組み合わせて六面体としたので耐用期間を大幅に長くすることができる。
【０００９】
すなわち、六面体を構成する各段ボールブロック２は、その外面側と内面側に砥ぎ面Ｓを有するので、６個の段ボールブロック２で合計１２の砥ぎ面Ｓを形成することができる。従って、耐用期間を長くすることができる。なお、この６個の段ボールブロック２は分解可能に組み合わされているので、外面側の全ての砥ぎ面Ｓが損傷すると、それを裏返して内面側の砥ぎ面Ｓを外側に露出させて、容易に新たな砥ぎ面Ｓとするものである。また、傷んだ一個の段ボールブロック２のみを交換することも可能である。
【００１０】
請求項２に記載の猫の爪砥ぎ器１は、請求項１に記載の考案と同様に、合計１２の砥ぎ面Ｓを有するので耐用期間を大幅に延ばすことができる。
【００１１】
また、内部に鈴等６を入れているので、猫が爪を砥ぐ際に当該鈴等６が振動によって鳴り、それが猫のストレス解消に役立ち、猫の健康維持に好ましい。
【考案を実施するための最良の形態】
【００１２】
本考案に係る猫の爪砥ぎ器１の実施形態を、図２乃至図４に示す。これは、段ボールによって形成したものであり、ライナー４と波形状の中芯５が露出したハニカム状表面部３を外面側と内面側に露出させた平板状の段ボールブロック２を６個分解可能に組み合わせて正六面体としている。そして、各ハニカム状表面部３を猫が爪を砥ぐための砥ぎ面Ｓとしている。なお、各段ボールブロック２の肉厚Ｔは２５ｍｍ〜３０ｍｍ程度と、従来のものと比較して薄く設定している。
【００１３】
また、本実施形態では、６個の段ボールブロック２のそれぞれの四端部に凹部２ａと凸部２ｂを形成し、これらの凹部２ａと凸部２ｂを係合組付けすることによって容易に分解できるようにしている。なお、各段ボールブロック２の組み合わせ構造はこれに限定されるものではなく、例えば、木製ピンのような締結部材を使用して組み合わせることもできる。
【００１４】
こうした構成の本実施形態に係る猫の爪砥ぎ器１は、その耐用期間を大幅に長くすることができるといった利点を有する。すなわち、猫は上側に位置する砥ぎ面Ｓで爪を砥ぎ、これによって当該上側の砥ぎ面Ｓが損傷すると、飼い主は他の側に位置する別の砥ぎ面Ｓを上側にするが、この爪砥ぎ器１は外面側のみならず内面側にも砥ぎ面Ｓを有するので、６個の段ボールブロック２で合計１２の砥ぎ面Ｓを提供することができる。
【００１５】
従って、例えば、猫が砥ぎ面Ｓを使用して爪を砥ぐことによって外面側の６つの砥ぎ面Ｓが全て損傷して爪が砥ぎ難い状態になると、飼い主が当該爪砥ぎ器１を分解して内面側の砥ぎ面Ｓを外側に露出させて、新たな６つの砥ぎ面Ｓを作ることができる。これによって、合計１２の砥ぎ面Ｓを提供することができるので、耐用期間を大幅に延ばすことができる。
【００１６】
なお、この爪砥ぎ器１の内部に鈴等６を入れることもできる。こうすることによって、猫が爪を砥ぐ度にその振動によって鈴６が鳴るので、猫のストレス解消に役立ち、猫の健康維持に好ましい。また鈴に代え、代えの発音具等の揺動感知具を設置することも出来る。
【図面の簡単な説明】
【００１７】
【図１】従来例に係る猫の爪砥ぎ器を示す斜視図である。
【図２】本考案の実施形態に係る猫の爪砥ぎ器を示す斜視図である。
【図３】図２に示す爪砥ぎ器を形成する段ボールブロックの斜視図である。
【図４】図３のＡ部拡大図で、ハニカム状表面部の拡大図である。
【符号の説明】
【００１８】
１      猫の爪砥ぎ器
２      段ボールブロック
２ａ    凹部
２ｂ    凸部
３      ハニカム状表面部
４      ライナー
５      中芯
６      鈴
１０    爪砥ぎ器
Ｓ      砥ぎ面
【図１】
0003117382.tif 000003
【図２】
0003117382.tif 000004
【図３】
0003117382.tif 000005
【図４】
0003117382.tif 000006